(57)【要約】 【課題】  シーリング材の中に有害物質が含まれている場合に、簡単かつ低コストで有害物質を含有するシーリング材の飛散を防止することができるシーリング材除去方法を提供することを目的としている。【解決手段】  基材１に施されたシーリング材３を切り取って回収するシーリング材除去方法において、シーリング材３の表面に粘着性を有する被覆材４を接着させ、被覆材４越しにシーリング材３を切り付ける。【選択図】      図３
2005113480.tif 000002
【特許請求の範囲】
【請求項１】
基材に施されたシーリング材を切り取って回収するシーリング材除去方法において、
前記シーリング材の表面に粘着性を有する被覆材を接着させ、該被覆材越しに前記シーリング材を切り付けることを特徴とするシーリング材除去方法。
【請求項２】
請求項１記載のシーリング材除去方法において、
前記被覆材には、透明または半透明のものを使用することを特徴とするシーリング材除去方法。
【請求項３】
請求項１または２記載のシーリング材除去方法において、
前記被覆材の両側端を前記シーリング材の両側方に位置する前記基材の表面に接着することを特徴とするシーリング材除去方法。
【請求項４】
請求項１から３のいずれか記載のシーリング材除去方法において、
コルクボーラーによって前記被覆材越しに前記シーリング材を抜き取ることを特徴とするシーリング材除去方法。
【発明の詳細な説明】
【技術分野】
【０００１】
本発明は、外壁などの基材に施されたシーリング材を切り取って回収するシーリング材除去方法に関する。
【背景技術】
【０００２】
従来、建築物の壁面や窓枠の継ぎ目に使用された既設のシーリング材を改修する場合、目地溝に充填されているシーリング材をカッター等で切り取って除去し、既設のシーリング材が除去された目地溝内に新設のシーリング材を充填して行う（例えば、特許文献１参照。）。
【０００３】
また、近年、過去に建築物の壁面や窓枠の継ぎ目に使用されたシーリング材に有害物質を含むものがあったことが明らかになった。これを受けて、既設のシーリング材が有害物質を含むものか確認するため、既設のシーリング材の一部を抜き取り、既設のシーリング材のサンプルを採取する必要がある。
【特許文献１】特開２００１−１１４０３６５号公報  （第２−４頁、第１図）
【発明の開示】
【発明が解決しようとする課題】
【０００４】
しかしながら、上記した従来のカッターなどで既設のシーリング材の全部或いは一部を除去する方法では、シーリング材の中に有害物質が含まれている場合、シーリング材を除去する際に有害物質を含有したシーリング材の切り屑を飛散させる可能性があるため、作業部分にビニールシートなどで密閉空間を構築し、この密閉空間内でシーリング材の除去を行う等の、有害物質の飛散防止対策を行う必要があり、これには相当の手間とコストがかかるという問題が存在する。  
【０００５】
本発明は、上記した従来の問題が考慮されたものであり、シーリング材の中に有害物質が含まれている場合に、簡単かつ低コストで有害物質を含有したシーリング材の飛散を防止することができるシーリング材除去方法を提供することを目的としている。
【課題を解決するための手段】
【０００６】
請求項１記載の発明は、基材に施されたシーリング材を切り取って回収するシーリング材除去方法において、前記シーリング材の表面に粘着性を有する被覆材を接着させ、該被覆材越しに前記シーリング材を切り付けることを特徴としている。
【０００７】
このような特徴により、切り付けられるシーリング材は被覆材によって養生される。また、シーリング材の切りくずは被覆材に付着される。
【０００８】
請求項２記載の発明は、請求項１記載のシーリング材除去方法において、前記被覆材には、透明または半透明のものを使用することを特徴としている。
【０００９】
このような特徴により、被覆材が接着されたシーリング材は、被覆材越しに目視によって把握される。
【００１０】
請求項３記載の発明は、請求項１または２記載のシーリング材除去方法において、前記被覆材の両側端を前記シーリング材の両側方に位置する前記基材の表面に接着することを特徴としている。
【００１１】
このような特徴により、シーリング材全体が養生され、シーリング材は被覆材によって密閉される。
【発明の効果】
【００１２】
本発明に係るシーリング材除去方法によれば、シーリング材の表面に被覆材を接着させ、被覆材越しにシーリング材を切り付けるため、切り付けられるシーリング材は被覆材によって養生され、シーリング材の中に含まれる有害物質を含有したシーリング材の飛散を簡単且つ安価に防止することができる。また、シーリング材の切り屑は被覆材に付着され、シーリング材の切り屑の散乱を防止することができる。
【発明を実施するための最良の形態】
【００１３】
以下、本発明に係るシーリング材除去方法の実施の形態について、図面に基いて説明する。
【００１４】
図１に示すように、外壁などの基材１には、断面形状が台形の目地溝２が形成されており、目地溝２内には合成樹脂や合成ゴム等からなり有害化学物質であるポリ塩化ビフェニール（ＰＣＢ）が含まれているシーリング材３が充填されている。
【００１５】
図２に示すように、目地溝２内に充填されたシーリング材３の表面には、ガムテープなどの被覆材４が覆われている。被覆材４は、透明な帯状のものであり、シーリング材３に対向する被覆材４の裏面には粘着部が形成されている。被覆材４の中央部はシーリング材３の表面に接着されており、被覆材４の両側端はシーリング材３の両側方に位置する基材１の表面にそれぞれ接着されている。
【００１６】
次に、上記した構成からなるシーリング材３を除去する方法について説明する。
【００１７】
まず、図２に示すように、目地溝２内に充填されたシーリング材３の表面に、被覆材４を接着させる。このとき、被覆材４の中央裏面をシーリング材３の表面に対向させ、被覆材４の両端裏面をシーリング材３の両側方に位置する基材１の表面に対向させる。
【００１８】
次に、図３に示すように、シーリング材３の両側面と目地溝２の両側面との境界面を被覆材４越しにカッター等によってそれぞれ切り付け、目地溝２とシーリング材３とを剥離する。そして、剥離されたシーリング材３を目地溝２から取り出してシーリング材３を回収し、シーリング材３の両側方に位置する基材１の表面に接着された被覆材４の両端部を剥がして回収する。シーリング材３の軸方向に沿ってシーリング材３の両側面と目地溝２の両側面との境界面を連続的に切り付けていき、目地溝２内に施されたシーリング材３の全部を除去する。
【００１９】
上記した構成からなるシーリング材除去方法によれば、シーリング材３の表面に接着された被覆材４越しにシーリング材３を切り付け、基材１に施されたシーリング材３を除去するため、切り付けられるシーリング材３は被覆材４によって養生され、有害物質ＰＣＢを含有したシーリング材３が飛散することを簡単且つ安価に防止することができる。また、シーリング材３の切りくずは粘着性のある被覆材４の裏面に付着され、シーリング材３を切り付けた際の切りくずが散乱することを防止することができる。
【００２０】
また、被覆材４には透明のものが使用されているため、被覆材４が接着されたシーリング材３は、被覆材４越しに目視によって把握される。これによって、シーリング材３の両側面と目地溝２の両側面との境界面に容易にカッター等で切り付けることができ、シーリング材３の除去作業をスムーズに行うことができる。
【００２１】
また、被覆材４の両側端をシーリング材３の両側方に位置する基材１の表面にそれぞれ接着するため、シーリング材３全体が被覆材４に覆われて養生され、シーリング材３は被覆材４によって密閉される。これによって、被覆材４の側端部を切り付けた際に有害物質ＰＣＢを含有するシーリング材３の飛散防止の確実化を図ることができる。
【００２２】
以上、本発明に係るシーリング材除去方法の実施の形態について説明したが、本発明は上記した実施の形態に限定されるものではなく、その趣旨を逸脱しない範囲で適宜変更可能である。例えば、上記した実施の形態では、目地溝２内に施されたシーリング材３の全部を除去する場合について説明しているが、本発明は、図４に示すように、基材１００に施されたシーリング材１０１の表面に被覆材１０２を接着させ、被覆材１０２越しにシーリング材１０１のサンプルをコルクボーラー１０３によって採取してもよい。また、シーリング材１０１のサンプルを採取した後に基材１００に施されたシーリング材１０１に形成されるサンプリング跡１０４をガムテープなどで塞いで養生する。
【００２３】
なお、この場合、シーリング材１０１の両側方に位置する基材１００の表面にそれぞれ接着する被覆材１０２を使用しているが、サンプルを採取する部分より若干大きめの被覆材をシーリング材１０１の一部分に接着させてもよい。
【００２４】
また、上記した実施の形態では、被覆材４は、帯状のものの裏面に粘着部が形成されているが、本発明は、粘着性がある液状体からなる被膜材を使用してもよく、液状の被覆材をシーリング材３に塗布してもよい。また、上記した実施の形態では、被覆材４は透明なものからなっているが、本発明は、半透明のものを使用してもよい。
【００２５】
また、上記した実施の形態では、外壁等の基材１に施されたシーリング材３を除去する方法について説明しているが、本発明は、窓枠周りの防水目地に施されたシーリング材を除去する場合にも適用してもよく、カーテンウォールの継ぎ目に施されたシーリング材を除去してもよい。
【図面の簡単な説明】
【００２６】
【図１】本発明に係るシーリング材除去方法の実施の形態を説明するための斜視図である。
【図２】本発明に係るシーリング材除去方法の実施の形態を説明するための斜視図である。
【図３】本発明に係るシーリング材除去方法の実施の形態を説明するための斜視図である。
【図４】本発明に係るシーリング材除去方法のその他の実施の形態を説明するための斜視図である。
【符号の説明】
【００２７】
１、１００  基材
３、１０１  シーリング材
４、１０２  被覆材
１０３  コルクボーラー
【図１】
2005113480.tif 000003
【図２】
2005113480.tif 000004
【図３】
2005113480.tif 000005
【図４】
2005113480.tif 000006